(57)【要約】【課題】作業要求者の要求業務を軽減できる停電作業要求支援システムを提供する。【解決手段】停電作業要求支援サーバ１１は、停電作業要求者端末２０から送信されてくる停電作業を行う電気所を示す作業要求情報に基づいて単線結線図・送電系統図データベース１３にアクセスして、この電気所の単線結線図データを読み出したのちに停電作業要求者端末２０に送信する。その後、停電作業要求支援サーバ１１は、停電作業要求者端末２０から送信されてくる停電作業を行う電力系統設備を示す作業対象情報に基づいて停電範囲関連付けデータベース１８にアクセスして、この電力系統設備を停止したときの停電範囲データを読み出したのち、読み出した停電範囲データによって示される停電範囲を単線結線図上に描いて、停電範囲が描かれた単線結線図を示す単線結線図データを停電作業要求者端末２０に送信する。【選択図】図１
2011239520.tif 000002
【特許請求の範囲】
【請求項１】
停電作業要求者端末（２０）と通信網（１）を介して相互接続された停電作業要求支援サーバ（１１）と、
前記停電作業要求支援サーバと接続された、かつ、各電気所の電力系統設備状態を示した単線結線図を示す単線結線図データおよび各送電系統図を示す送電系統図データが格納された単線結線図・送電系統図データベース（１３）と、
前記停電作業要求支援サーバと接続された、かつ、電力系統設備および送電線の停止による停電範囲を示す停電範囲データを含む停電範囲関連付けデータが格納された停電範囲関連付けデータベース（１８）とを具備し、
前記停電作業要求支援サーバが、
停電作業を行う電気所または送電系統を示す作業要求情報が前記停電作業要求者端末から送信されてくると、該作業要求情報に基づいて前記単線結線図・送電系統図データベースにアクセスして該作業要求情報によって示される電気所の単線結線図データまたは該作業要求情報によって示される送電系統を示す送電系統図データを読み出して、該読み出した単線結線図データまたは送電系統図データを前記停電作業要求者端末に前記通信網を介して送信し、
停電作業を行う電力系統設備または送電線を示す作業対象情報が前記停電作業要求者端末から送信されてくると、該作業対象情報に基づいて前記停電範囲関連付けデータベースにアクセスして該作業対象情報によって示される電力系統設備または送電線を停止したときの停電範囲データを読み出したのち、該読み出した停電範囲データによって示される停電範囲を前記単線結線図または前記送電系統図上に描いて、該停電範囲が描かれた単線結線図または送電系統図を示す単線結線図データまたは送電系統図データを前記停電作業要求者端末に前記通信網を介して送信する、
ことを特徴とする、停電作業要求支援システム。
【請求項２】
前記停電作業要求支援サーバと接続された、かつ、電力系統設備の停止に伴い波及停止する現場操作機器が装備するスイッチ類を示す現場操作機器スイッチデータが格納された現場操作機器スイッチデータベース（１５）をさらに具備し、
前記停電作業要求支援サーバが、前記波及停止する現場操作機器に基づいて前記現場操作機器スイッチデータベースにアクセスして、前記波及停止する現場操作機器が装備するスイッチ類を示す現場操作機器スイッチデータを読み出し、該読み出した現場操作機器スイッチデータが示すスイッチ類を前記停電範囲が描かれた単線結線図または送電系統図に追加して、該スイッチ類が追加された単線結線図または送電系統図を示す単線結線図データまたは送電系統図データを前記停電作業要求者端末に前記通信網を介して送信する、
ことを特徴とする、請求項１記載の停電作業要求支援システム。
【請求項３】
前記停電作業要求支援サーバと接続された、かつ、各電力系統設備および各送電線において過去に停電操作および点検作業で発生した操作ミスおよびヒヤリハット事例を示す過去事例ノウハウデータが格納された過去事例ノウハウデータベース（１４）をさらに具備し、
前記停電作業要求支援サーバが、
前記作業対象情報が前記停電作業要求者端末から送信されてくると、該作業対象情報に基づいて前記過去事例ノウハウデータベースにアクセスして、前記停電作業を行う電力系統設備または送電線の停電作業を行う際の過去事例ノウハウデータを読み出して、該読み出した過去事例ノウハウデータが示す操作ミスおよびヒヤリハット事例を前記停電範囲が描かれた単線結線図または送電系統図に追加し、該操作ミスおよびヒヤリハット事例が追加された単線結線図または送電系統図を示す単線結線図データまたは送電系統図データを前記停電作業要求者端末に前記通信網を介して送信する、
ことを特徴とする、請求項１または２記載の停電作業要求支援システム。
【請求項４】
前記停電作業要求支援サーバと接続された、かつ、電力系統設備および送電線の停止を行う際の制約事項および作業調整ノウハウを示す作業制約事項データが格納された作業制約事項データベース（１６）をさらに具備し、
前記停電作業要求支援サーバが、
前記作業要求情報が前記停電作業要求者端末から送信されてくると、該作業要求情報に基づいて前記作業制約事項データベースにアクセスして、前記停電作業を行う電力系統設備および送電線の停止を行う際の制約事項および作業調整ノウハウを示す作業制約事項データを読み出して、該読み出した作業制約事項データが示す制約事項および作業調整ノウハウを前記停電範囲が描かれた単線結線図または送電系統図に追加し、該制約事項および作業調整ノウハウが追加された単線結線図または送電系統図を示す単線結線図データまたは送電系統図データを前記停電作業要求者端末に前記通信網を介して送信する、
ことを特徴とする、請求項１乃至３いずれかに記載の停電作業要求支援システム。
【請求項５】
前記停電作業要求支援サーバと接続された、かつ、変電所の遠隔監視制御装置から遠隔監視制御システムを介して送信されてくる潮流データが格納された潮流計算データベース（１７）をさらに具備し、
前記停電作業要求支援サーバが、
前記停電範囲データに基づいて変圧器の停止を検出すると、該変圧器に基づいて前記潮流計算データベースにアクセスして、停電作業予定日に該変圧器に流れる潮流を予測計算し、設備容量以上の潮流が流れると予測計算された場合には、注意表示を前記停電範囲が描かれた単線結線図または送電系統図に追加し、該注意表示が追加された単線結線図または送電系統図を示す単線結線図データまたは送電系統図データを前記停電作業要求者端末に前記通信網を介して送信する、
ことを特徴とする、請求項１乃至４いずれかに記載の停電作業要求支援システム。
【発明の詳細な説明】
【技術分野】
【０００１】
本発明は、停電作業要求支援システムに関し、特に、停電作業調整業務において使用するのに好適な停電作業要求支援システムに関する。
【背景技術】
【０００２】
本出願人は、停電作業調整業務において作業調整者および作業要求者を支援する手法として、以下に示す３つの特許出願をしている。
【０００３】
（１）下記の特許文献１の電力系統設備の停止支援システム
この電力系統設備の停止支援システムは、停電作業計画立案の調整を迅速かつ確実に行い、実施に当たって安全保安上での問題が生じないようにするために、停電作業計画に関するデータの入出力手段を有する停電作業要求部署端末と、判断された停電作業計画に関するデータの入出力手段を有する作業承認部署端末と、決定された停電作業計画に関するデータを実施し報告する入出力手段を有する作業現場携帯端末と、停電作業管理サーバとおよび停電作業データベースからなる停電作業管理システムとからなり、停電作業管理システムの停電作業管理サーバが、停電作業要求部署端末および作業承認部署端末から入力された停電作業に関するデータと停電作業データベースとに基づいて停電作業計画データを作成し蓄積し送信する手段を有するものである。
【０００４】
（２）下記の特許文献２の停電作業計画支援システム
この停電作業計画支援システムは、停電作業計画作成にて顧客の停電作業計画も外部より登録可能にするとともに停電作業に必要な作業要員の調整を容易に行うようにするために、通信ネットワークを介して顧客の停電作業に関する予定の情報を入力させ、入力した顧客の停電作業に関する予定の情報を取得する手段、入手した顧客の停電作業に関する予定の情報を保存する手段、および、要求により、保存した各顧客の停電作業に関する予定の情報を通信ネットワークを介して全体の停電作業の管理または調整を行うサーバに送信する顧客停電作業計画情報送信手段を備えた顧客停電作業管理サーバと、通信ネットワークを介して顧客の停電作業に関する予定の情報を受信する手段、および、受信した各顧客の停電作業に関する予定の情報より停電作業に関する調整を行う手段を備えた停電作業管理調整サーバとを、通信ネットワークを介して通信可能に接続したものである。
【０００５】
（３）下記の特許文献３の電力系統の停電作業計画設定方法
この電力系統の停電作業計画設定方法は、主管箇所における停電計画の調整作業を簡易化するために、事業所における電力系統の停電計画に関する要求書の作成に当たって、全ての事業所の停電作業調整マニュアルと停電計画とが記録された調整情報データベースを作成し、当該事業所の停電計画の立案時に各事業所を統括する主管箇所への要求書の提出に先立って予め調整情報データベースを参照して少なくとも停電作業計画段階での検討必要事項および立案時における他事業所との整合性をチェックして要求書を作成するようにしたものである。
【先行技術文献】
【特許文献】
【０００６】
【特許文献１】特開２００７−１８９８２２号公報
【特許文献２】特開２００７−２４４１３５号公報
【特許文献３】特開２００７−２４４１３９号公報
【発明の概要】
【発明が解決しようとする課題】
【０００７】
しかしながら、上記の特許文献１の電力系統設備の停止支援システムおよび上記の特許文献２の停電作業計画支援システムは、作業調整者を支援するための手法であり、作業要求者を支援する手法ではない。
また、上記の特許文献３の電力系統の停電作業計画設定方法は、作業要求者を支援する手法ではあるが、停電作業調整マニュアルをデータベース化して、作業調整者が電力系統設備の停止において具備すべき調整事項を、作業要求者が要求時点で確認するものであり、作業要求者の要求業務を軽減する手法ではない。
【０００８】
本発明の目的は、作業要求者の要求業務を軽減することができる停電作業要求支援システムを提供することにある。
【課題を解決するための手段】
【０００９】
本発明の停電作業要求支援システムは、停電作業要求者端末（２０）と通信網（１）を介して相互接続された停電作業要求支援サーバ（１１）と、前記停電作業要求支援サーバと接続された、かつ、各電気所の電力系統設備状態を示した単線結線図を示す単線結線図データおよび各送電系統図を示す送電系統図データが格納された単線結線図・送電系統図データベース（１３）と、前記停電作業要求支援サーバと接続された、かつ、電力系統設備および送電線の停止による停電範囲を示す停電範囲データを含む停電範囲関連付けデータが格納された停電範囲関連付けデータベース（１８）とを具備し、前記停電作業要求支援サーバが、停電作業を行う電気所または送電系統を示す作業要求情報が前記停電作業要求者端末から送信されてくると、該作業要求情報に基づいて前記単線結線図・送電系統図データベースにアクセスして該作業要求情報によって示される電気所の単線結線図データまたは該作業要求情報によって示される送電系統を示す送電系統図データを読み出して、該読み出した単線結線図データまたは送電系統図データを前記停電作業要求者端末に前記通信網を介して送信し、停電作業を行う電力系統設備または送電線を示す作業対象情報が前記停電作業要求者端末から送信されてくると、該作業対象情報に基づいて前記停電範囲関連付けデータベースにアクセスして該作業対象情報によって示される電力系統設備または送電線を停止したときの停電範囲データを読み出したのち、該読み出した停電範囲データによって示される停電範囲を前記単線結線図または前記送電系統図上に描いて、該停電範囲が描かれた単線結線図または送電系統図を示す単線結線図データまたは送電系統図データを前記停電作業要求者端末に前記通信網を介して送信することを特徴とする。
ここで、前記停電作業要求支援サーバと接続された、かつ、電力系統設備の停止に伴い波及停止する現場操作機器が装備するスイッチ類を示す現場操作機器スイッチデータが格納された現場操作機器スイッチデータベース（１５）をさらに具備し、前記停電作業要求支援サーバが、前記波及停止する現場操作機器に基づいて前記現場操作機器スイッチデータベースにアクセスして、前記波及停止する現場操作機器が装備するスイッチ類を示す現場操作機器スイッチデータを読み出し、該読み出した現場操作機器スイッチデータが示すスイッチ類を前記停電範囲が描かれた単線結線図または送電系統図に追加して、該スイッチ類が追加された単線結線図または送電系統図を示す単線結線図データまたは送電系統図データを前記停電作業要求者端末に前記通信網を介して送信してもよい。
前記停電作業要求支援サーバと接続された、かつ、各電力系統設備および各送電線において過去に停電操作および点検作業で発生した操作ミスおよびヒヤリハット事例を示す過去事例ノウハウデータが格納された過去事例ノウハウデータベース（１４）をさらに具備し、前記停電作業要求支援サーバが、前記作業対象情報が前記停電作業要求者端末から送信されてくると、該作業対象情報に基づいて前記過去事例ノウハウデータベースにアクセスして、前記停電作業を行う電力系統設備または送電線の停電作業を行う際の過去事例ノウハウデータを読み出して、該読み出した過去事例ノウハウデータが示す操作ミスおよびヒヤリハット事例を前記停電範囲が描かれた単線結線図または送電系統図に追加し、該操作ミスおよびヒヤリハット事例が追加された単線結線図または送電系統図を示す単線結線図データまたは送電系統図データを前記停電作業要求者端末に前記通信網を介して送信してもよい。
前記停電作業要求支援サーバと接続された、かつ、電力系統設備および送電線の停止を行う際の制約事項および作業調整ノウハウを示す作業制約事項データが格納された作業制約事項データベース（１６）をさらに具備し、前記停電作業要求支援サーバが、前記作業要求情報が前記停電作業要求者端末から送信されてくると、該作業要求情報に基づいて前記作業制約事項データベースにアクセスして、前記停電作業を行う電力系統設備および送電線の停止を行う際の制約事項および作業調整ノウハウを示す作業制約事項データを読み出して、該読み出した作業制約事項データが示す制約事項および作業調整ノウハウを前記停電範囲が描かれた単線結線図または送電系統図に追加し、該制約事項および作業調整ノウハウが追加された単線結線図または送電系統図を示す単線結線図データまたは送電系統図データを前記停電作業要求者端末に前記通信網を介して送信してもよい。
前記停電作業要求支援サーバと接続された、かつ、変電所の遠隔監視制御装置から遠隔監視制御システムを介して送信されてくる潮流データが格納された潮流計算データベース（１７）をさらに具備し、前記停電作業要求支援サーバが、前記停電範囲データに基づいて変圧器の停止を検出すると、該変圧器に基づいて前記潮流計算データベースにアクセスして、停電作業予定日に該変圧器に流れる潮流を予測計算し、設備容量以上の潮流が流れると予測計算された場合には、注意表示を前記停電範囲が描かれた単線結線図または送電系統図に追加し、該注意表示が追加された単線結線図または送電系統図を示す単線結線図データまたは送電系統図データを前記停電作業要求者端末に前記通信網を介して送信してもよい。
【発明の効果】
【００１０】
本発明の停電作業要求支援システムは、以下に示す効果を奏する。
（１）停電作業要求支援サーバが、停電範囲が描かれた単線結線図または送電系統図を示す単線結線図データまたは送電系統図データを停電作業要求者端末に送信する機能（すなわち、作業要求者を支援する機能）を備えることにより、停電作業計画業務における「要求−調整」の一連の業務を容易に行うことができるとともに、適正な停電範囲の選択を行うことができる。
（２）停電作業要求支援サーバが、波及停止する現場操作機器が装備するスイッチ類が追加された単線結線図または送電系統図を示す単線結線図データまたは送電系統図データを停電作業要求者端末に送信する機能（すなわち、作業要求者の要求業務を軽減する機能）を備えることにより、停電作業計画業務における作業要求者の業務軽減が図れるとともに、リレーロックなどの要求漏れを防止することができる。
（３）停電作業要求支援サーバが、制約事項および作業調整ノウハウが追加された単線結線図または送電系統図を示す単線結線図データまたは送電系統図データを停電作業要求者端末に送信する機能（すなわち、電力系統設備および送電線の停止操作におけるノウハウの伝授と過去の人為的ミスや請負災害の風化防止とを補完する機能）を備えることにより、将来にわたっての技術者育成が図れる。
【図面の簡単な説明】
【００１１】
【図１】本発明の一実施例による停電作業要求支援システム１０の構成を示すブロック図である。
【図２】停電作業要求書の一例を示す図である。
【図３】単線結線図の一例を示す図である。
【図４】送電系統図の一例を示す図である。
【図５】過去事例ノウハウデータベース１４に格納されている過去事例ノウハウデータの一例を示す図である。
【図６】現場操作機器スイッチデータベース１５に格納されている現場操作機器データの一例を示す図である。
【図７】停電範囲関連付けデータベース１８に格納されている停電範囲関連付けデータの一例を示す図である。
【図８】Ａ電気所に設置された交流遮断器（３２１）を作業のために停止する際の停電作業要求支援サーバ１１の動作について説明するための図である。
【図９】Ａ電気所に設置された交流遮断器（３２１）を作業のために停止する際の停電作業要求支援サーバ１１の動作について説明するための図である。
【図１０】Ｂ電気所に設置された変圧器（＃１ＨＴｒ）を作業のために停止する際の停電作業要求支援サーバ１１の動作について、図１０を参照して説明する。
【図１１】送電線を作業のために停止する際の停電作業要求支援サーバ１１の動作について説明するための図である。
【発明を実施するための形態】
【００１２】
上記の目的を、停電作業要求支援システムに、作業要求者を支援する機能と、作業要求者の要求業務を軽減する機能と、電力系統設備および送電線の停止に伴うノウハウの伝授と過去のミスや災害の風化防止を補完する機能とを備えさせることにより実現した。
【実施例１】
【００１３】
以下、本発明の停電作業要求支援システムの実施例について図面を参照して説明する。
本発明の一実施例による停電作業要求支援システム１０は、図１に示すように、停電作業要求支援サーバ１１と、停電作業要求支援サーバ１１に接続された停電作業要求書データベース（停電作業要求書ＤＢ）１２、単線結線図・送電系統図データベース（単線結線図・送電系統図ＤＢ）１３、過去事例ノウハウデータベース（過去事例ノウハウＤＢ）１４、現場操作機器スイッチデータベース（現場操作機器スイッチＤＢ）１５、作業制約事項データベース（作業制約事項ＤＢ）１６、潮流計算データベース（潮流計算ＤＢ）１７および停電範囲関連付けデータベース（停電範囲関連付けＤＢ）１８とを具備する。
【００１４】
ここで、停電作業要求支援サーバ１１は、設備保守機関に設置された停電作業要求者端末２０、運転・操作機関に設置された機器操作者端末３０および系統運用機関に設置された停電作業調整者端末４０と通信網１を介して相互接続されている。
【００１５】
停電作業要求支援サーバ１１は、以下に示す３つの機能を備える。
（第１の機能）作業要求者を支援する機能
単線結線図および電力系統図から停止して作業したい電力系統設備（機器）および送電線が選択されると、作業に必要な停電範囲を示す機能。
（第２の機能）作業要求者の要求業務を軽減する機能
単線結線図および電力系統図から停止して作業したい電力系統設備および送電線を選択すると、停電作業調整マニュアルをデータベース化した作業調整者のノウハウに加えて、電力系統設備の停止に必要なリレーロックなどの要求事項を表示し、停電作業要求書へ入力転送する機能。
（第３の機能）電力系統設備および送電線の停止に伴うノウハウの伝授と過去のミスや災害の風化防止を補完する機能
発電所操作要領および制御所操作要領をデータベース化して電力系統設備停止操作時の運用事項および注意事項を表示する機能と、過去に人為的ミスによる停電および請負災害の発生事例などをデータベース化して表示・注意喚起する機能。
【００１６】
停電作業要求書データベース１２には、停電作業要求者端末２０から通信網１を介して停電作業要求支援サーバ１１に送信されてくる停電作業要求書の内容を示す停電作業要求書データが格納される。
図２に、停電作業要求書の一例を示す。
【００１７】
単線結線図・送電系統図データベース１３には、各電気所の電力系統設備状態を示した単線結線図を示す単線結線図データと、各送電系統図を示す送電系統図データとが格納されている。
図３に、単線結線図の一例を示す。また、図４に、送電系統図の一例を示す。
【００１８】
過去事例ノウハウデータベース１４には、各電力系統設備および各送電線において過去に停電操作および点検作業で発生した操作ミスおよびヒヤリハット事例を示す過去事例ノウハウデータが格納されている。
たとえば、図５に示すように、Ｂ電気所に設置された変圧器（記号“＃１ＨＴｒ”）を停止する場合について、「２次側ＮＦＢ（ノーヒューズブレーカ）は類似ＮＦＢが同一盤内に存在するので操作時に注意すること」が過去事例ノウハウデータとして格納されている。
過去事例ノウハウデータは、更新データを機器操作者端末３０から停電作業支援サーバ１１に通信網１を介して送信することにより、更新可能とされている。
【００１９】
現場操作機器スイッチデータベース１５には、電力系統設備の停止に伴い波及停止する現場操作機器が装備するスイッチ（切替開閉器）およびロックＴＴなど（以下、「スイッチ類」と称する。）を示す現場操作機器スイッチデータが格納されている
図６に、現場操作機器スイッチデータの一例を示す。
現場操作機器データは、更新データを機器操作者端末３０から停電作業支援サーバ１１に通信網１を介して送信することにより、更新可能とされている。
【００２０】
作業制約事項データベース１６には、電力系統設備および送電線の停止を行う際の制約事項および作業調整ノウハウを示す作業制約事項データが格納されている。
作業制約事項データは、更新データを停電作業調整者端末４０から停電作業支援サーバ１１に通信網１を介して送信することにより、更新可能とされている。
【００２１】
潮流計算データベース１７には、変電所の遠隔監視制御装置（不図示）から遠隔監視制御システム（不図示）を介して停電作業要求支援サーバ１１に送信されてくる潮流データ（電力量および発電量を示すデータ）が格納されている。
【００２２】
停電範囲関連付けデータベース１８には、電力系統設備の停止により波及停止する電力系統設備および送電線の停止により波及停止する送電線（停電範囲）を示す停電範囲データを含む停電範囲関連付けデータが格納されている。なお、停電範囲関連付けデータには、電力系統設備および送電線の停止による供給支障および発電支障の発生の有無を示す供給支障・発電支障データも含まれている。
図７（ａ）に、電力系統設備の停止により波及停止する電力系統設備（電力系統設備の停止による停電範囲）を示す停電範囲データを含む停電範囲関連付けデータの一例を示す。また、図７（ｂ）に、送電線の停止により波及停止する送電線（送電線の停止による停電範囲）を示す停電範囲データと送電線の停止による供給支障および発電支障の発生の有無を示す供給支障・発電支障データとを含む停電範囲関連付けデータの一例を示す。
【００２３】
次に、Ａ電気所に設置された交流遮断器（図８に○で囲った記号“３２１”で示す。）を作業のために停止する際の停電作業要求支援サーバ１１の動作について、図８および図９を参照して説明する。
【００２４】
停電作業要求者は、停電作業要求者端末２０を用いて、必要事項を記入した停電作業要求書データと、停電作業を行う電気所（Ａ電気所）などを示す作業要求情報とを入力したのち、入力した停電作業要求書データおよび作業要求情報を停電作業要求支援サーバ１１に通信網１を介して送信する。
【００２５】
停電作業要求支援サーバ１１は、停電作業要求書データおよび作業要求情報が停電作業要求者端末２０から送信されてくると、停電作業要求書データを停電作業要求書データベース１２に格納するとともに、作業要求情報に基づいて単線結線図・送電系統図データベース１３にアクセスして、この作業要求情報によって示されるＡ電気所の電力系統設備状態を示した単線結線図データを読み出す。
その後、停電作業要求支援サーバ１１は、読み出した単線結線図データを停電作業要求者端末２０に通信網１を介して送信する。これにより、停電作業要求者端末２０に、図３に示したような単線結線図が表示される。
【００２６】
停電作業要求者は、停電作業要求者端末２０に表示された単線結線図に示されている電力系統設備（機器）のうち、作業のために停止する交流遮断器（以下、「交流遮断器（３２１）」と称する。）にカーソル（図８の○印参照）を合わせて選択する。
これにより、停電作業要求者によって選択された交流遮断器（３２１）を示す作業対象情報が、停電作業要求者端末２０から通信網１を介して停電作業要求支援サーバ１１に送信される。
【００２７】
停電作業要求支援サーバ１１は、停電作業要求者端末２０から送信されてきた作業対象情報に基づいて停電範囲関連付けデータベース１８にアクセスして、作業対象情報によって示される電力系統設備である交流遮断器（３２１）を停止したときの停電範囲データを読み出したのち、読み出した停電範囲データによって示される停電範囲を上述した単線結線図上に描くとともに（図９の黒太線参照）、先に格納した停電作業要求書データを停電作業要求書データベース１２から読み出し、読み出した停電作業要求書データに停電範囲データを追加したのちに停電作業要求書データベース１２に格納する。
【００２８】
また、停電作業要求支援サーバ１１は、停電範囲データに基づいて、甲線に設置された隣接する変圧器（以下、「変圧器（ＰＤ）」と称する。）の停止を検出すると、変圧器（ＰＤ）に基づいて現場操作機器スイッチデータベース１５にアクセスして、波及停止する変圧器（ＰＤ）が装備するスイッチ類を示す現場操作機器スイッチデータ（図６参照）を読み出したのち、読み出した現場操作機器スイッチデータが示すスイッチ類を上述した単線結線図にチェックボックスを付して追加する（図９の図示中央の黒枠内参照）。
【００２９】
さらに、停電作業要求支援サーバ１１は、変圧器（ＰＤ）に基づいて潮流計算データベース１７にアクセスして、停電作業予定日に変圧器（ＰＤ）に流れる潮流を予測計算し、設備容量以上の潮流が流れると予測計算された場合には、図９に示す「過負荷注意」というような注意表示を上述した単線結線図に追加する。
【００３０】
その後、停電作業要求支援サーバ１１は、停電範囲などを追加した単線結線図を示す単線結線図データを停電作業要求者端末２０に通信網１を介して送信する。
これにより、停電作業要求者端末２０に、図９に示すような単線結線図が表示される。その結果、停電作業要求者は、交流遮断器（３２１）を停止したときの停電範囲、波及停止する変圧器（ＰＤ）が装備するスイッチ類および注意事項を確実に把握することができる。
また、単線結線図に追加されたスイッチ類を停電作業要求者が選択すると、この選択データが停電作業要求者端末２０から通信網１を介して停電作業要求支援サーバ１１に送信され、停電作業要求支援サーバ１１は、この選択データに応じて、先に格納した停電作業要求書データを停電作業要求書データベース１２から読み出したのち、読み出した停電作業要求書データに選択されたスイッチ類を記入する。
【００３１】
次に、Ｂ電気所に設置された変圧器（図１０に記号“＃１ＨＴｒ”で示す。）を作業のために停止する際の停電作業要求支援サーバ１１の動作について、図１０を参照して説明する。
【００３２】
停電作業要求者は、停電作業要求者端末２０を用いて、必要事項を記入した停電作業要求書データと、停電作業を行う電気所（Ｂ電気所）などを示す作業要求情報とを入力したのち、入力した停電作業要求書データおよび作業要求情報を停電作業要求支援サーバ１１に通信網１を介して送信する。
【００３３】
停電作業要求支援サーバ１１は、停電作業要求書データおよび作業要求情報が停電作業要求者端末２０から送信されてくると、停電作業要求書データを停電作業要求書データベース１２に格納するとともに、作業要求情報に基づいて単線結線図・送電系統図データベース１３にアクセスして、この作業要求情報によって示されるＢ電気所の電力系統設備状態を示した単線結線図データを読み出す。
その後、停電作業要求支援サーバ１１は、読み出した単線結線図データを停電作業要求者端末２０に通信網１を介して送信する。これにより、停電作業要求者端末２０に、単線結線図が表示される。
【００３４】
停電作業要求者は、停電作業要求者端末２０に表示された単線結線図に示されている電力系統設備（機器）のうち、作業のために停止する変圧器（以下、「変圧器（＃１ＨＴｒ）」と称する。）にカーソル（図１０の矢印参照）を合わせて選択する。
これにより、停電作業要求者によって選択された変圧器（＃１ＨＴｒ）を示す作業対象情報が、停電作業要求者端末２０から通信網１を介して停電作業要求支援サーバ１１に送信される。
【００３５】
停電作業要求支援サーバ１１は、停電作業要求者端末２０から送信されてきた作業対象情報に基づいて停電範囲関連付けデータベース１８にアクセスして、作業対象情報によって示される電力系統設備である変圧器（＃１ＨＴｒ）を停止したときの停電範囲データを読み出したのち、読み出した停電範囲データが示す停電範囲を上述した単線結線図上に描くとともに（図１０の黒太線参照）、先に格納した停電作業要求書データを停電作業要求書データベース１２から読み出し、読み出した停電作業要求書データに停電範囲データを追加したのちに停電作業要求書データベース１２に格納する。
【００３６】
また、停電作業要求支援サーバ１１は、変圧器（＃１ＨＴｒ）に基づいて現場操作機器スイッチデータベース１５にアクセスして、波及停止する現場操作機器に該当する変圧器（＃１ＨＴｒ）が装備するスイッチ類を示す現場操作機器スイッチデータ（図６参照）を読み出したのち、読み出した現場操作機器スイッチデータが示すスイッチ類を上述した単線結線図にチェックボックスを付して追加する（図１０の図示中央下の黒枠内参照）。
【００３７】
さらに、停電作業要求支援サーバ１１は、変圧器（＃１ＨＴｒ）に基づいて過去事例ノウハウデータベース１４にアクセスして、変圧器（＃１ＨＴｒ）に関する過去事例ノウハウデータ（図５参照）を読み出して、読み出した過去事例ノウハウデータが示す「２次側ＮＦＢは類似ＮＦＢが同一盤内に存在するので操作時に注意すること」を上述した単線結線図に追加する（図１０の図示中央上の黒枠内参照）。
【００３８】
その後、停電作業要求支援サーバ１１は、停電範囲などを追加した単線結線図を示す単線結線図データを停電作業要求者端末２０に通信網１を介して送信する。
これにより、停電作業要求者端末２０に、図１０に示す単線結線図が表示される。その結果、停電作業要求者は、交流遮断器を停止したときの停電範囲と、変圧器（＃１ＨＴｒ）が装備するスイッチ類と、変圧器（＃１ＨＴｒ）において過去に停電操作および点検作業で発生した操作ミスおよびヒヤリハット事例とを確実に把握することができる。
また、単線結線図に追加されたスイッチ類を停電作業要求者が選択すると、この選択データが停電作業要求者端末２０から通信網１を介して停電作業要求支援サーバ１１に送信され、停電作業要求支援サーバ１１は、この選択データに応じて、先に格納した停電作業要求書データを停電作業要求書データベース１２から読み出したのち、読み出した停電作業要求書データに選択されたスイッチ類を記入する。
【００３９】
次に、送電線を作業のために停止する際の停電作業要求支援サーバ１１の動作について、図１１を参照して説明する。
【００４０】
停電作業要求者は、停電作業要求者端末２０を用いて、必要事項を記入した停電作業要求書データと、停電作業を行う送電系統などを示す作業要求情報とを入力したのち、入力した停電作業要求書データおよび作業要求情報を停電作業要求支援サーバ１１に通信網１を介して送信する。
続いて、停電作業要求支援サーバ１１は、作業要求情報に基づいて単線結線図・送電系統図データベース１３にアクセスして、作業要求情報によって示される送電系統を示す送電系統図データを読み出す。
その後、停電作業要求支援サーバ１１は、読み出した送電系統図データを停電作業要求者端末２０に通信網１を介して送信する。これにより、停電作業要求者端末２０に、送電系統図が表示される。
【００４１】
停電作業要求者は、停電作業要求者端末２０に表示された送電系統図に示されている送電線のうち、作業のために停止する送電線にカーソル（図１１の黒矢印参照）を合わせて選択する。
これにより、停電作業要求者によって選択された送電線を示す作業対象情報が、停電作業要求者端末２０から通信網１を介して停電作業要求支援サーバ１１に送信される。
【００４２】
停電作業要求支援サーバ１１は、停電作業要求者端末２０から送信されてきた作業対象情報に基づいて停電範囲関連付けデータベース１８にアクセスして、作業対象情報によって示される送電線を停止したときの停電範囲データを読み出したのち、読み出した停電範囲データが示す停電範囲を上述した送電系統図上に描くとともに（図１１の黒太線参照）、先に格納した停電作業要求書データを停電作業要求書データベース１２から読み出し、読み出した停電作業要求書データに停電範囲データを追加したのち、停電作業要求書データベース１２に格納する。
【００４３】
また、停電作業要求支援サーバ１１は、停電範囲データに基づいて、○○風力発電機の停止を検出すると、供給支障および発電支障の表示を送電系統図にチェックボックスを付して追加する（図１１の黒枠内参照）。
【００４４】
その後、停電作業要求支援サーバ１１は、停電範囲と供給支障および発電支障の表示とを追加した送電系統図を示す送電系統図データを停電作業要求者端末２０に通信網１を介して送信する。
これにより、停電作業要求者端末２０に、図１１に示す送電系統図が表示される。その結果、停電作業要求者は、送電線を停止したときの停電範囲を確実に把握することができるとともに、供給支障および発電支障が生じることを確実に把握することができる。
また、送電系統図に追加された供給支障および発電支障を停電作業要求者が選択すると、この選択データが停電作業要求者端末２０から通信網１を介して停電作業要求支援サーバ１１に送信され、停電作業要求支援サーバ１１は、この選択データに応じて、先に格納した停電作業要求書データを停電作業要求書データベース１２から読み出したのち、読み出した停電作業要求書データに供給支障および発電支障が生じることを記入する。
【００４５】
なお、停電作業調整者は、停電作業調整者端末４０から通信網１を介して停電作業要求支援サーバ１１にアクセスして、停電作業要求書データベース１２に格納されている停電作業予定日の停電作業要求書データを送信させることにより、停電作業要求書が停電作業調整者端末４０に表示されるため、たとえば図９に示した過負荷が生じることや図１１に示した供給支障や発電支障が生じることを確実に把握することができるため、停電調整作業を容易に行うことができる。
【符号の説明】
【００４６】
１  通信網
１０  停電作業要求支援システム
１１  停電作業要求支援サーバ
１２  停電作業要求書データベース
１３  単線結線図・送電系統図データベース
１４  過去事例ノウハウデータベース
１５  現場操作機器スイッチデータベース
１６  作業制約事項データベース
１７  潮流計算データベース
１８  停電範囲関連付けデータベース
２０  停電作業要求者端末
３０  機器操作者端末
４０  停電作業調整者端末
【図１】
2011239520.tif 000003
【図２】
2011239520.tif 000004
【図３】
2011239520.tif 000005
【図４】
2011239520.tif 000006
【図５】
2011239520.tif 000007
【図６】
2011239520.tif 000008
【図７】
2011239520.tif 000009
【図８】
2011239520.tif 000010
【図９】
2011239520.tif 000011
【図１０】
2011239520.tif 000012
【図１１】
2011239520.tif 000013